(57)【特許請求の範囲】
【請求項１】
帯域外漏洩干渉を抑制する方法であって、
第二の帯域によってカバーされた第一の地理的領域に、第一の帯域に含まれる第一のサブ帯域に中間電力及び／又は低電力で送信する第一の送信チャネルを配置し、前記第一のサブ帯域が第二の帯域に近接または隣接し、前記第一の帯域が地上波テレビ放送システムの計画帯域に属し、前記第二の帯域が陸上移動通信システムの計画帯域に属するステップと、
前記第一の地理的領域に、陸上移動通信基地局に用いられる基地局サイトから１組の基地局サイトを、地上波テレビ放送送信アンテナと陸上移動通信基地局アンテナとの共有基地局サイトとして確定するステップと、
前記共有基地局サイトに、前記第一のサブ帯域に第一の送信チャネルを配置し、前記第二の帯域における第二のサブ帯域に第一の受信チャネルを配置し、前記第一のサブ帯域と前記第二のサブ帯域との間に第二の帯域に属する第三のサブ帯域が存在し、前記第三のサブ帯域が共有基地局サイトに第一の送信チャネルの帯域外漏洩電力の第一の受信チャネルに対する干渉を抑制することに用いられるステップと、を含むことを特徴とする方法。
【請求項２】
前記第三のサブ帯域が前記第二のサブ帯域に隣接し、且つ前記第三のサブ帯域が非共有基地局サイトにある第二の上り受信チャネルに用いられる帯域であり、前記第二の上り受信チャネルが、陸上移動通信基地局が第三のサブ帯域で端末からの信号を受信するチャネルであることを特徴とする
請求項１に記載の方法。
【請求項３】
前記第二のサブ帯域と前記第三のサブ帯域は、周波数分割多重ＦＤＤシステムに用いられると計画される上り帯域又は時分割多重ＴＤＤシステムに用いられると計画される帯域であることを特徴とする
請求項１に記載の方法。
【請求項４】
前記共有基地局サイトに、前記第一の送信チャネルが第一の送信アンテナを用いて前記第一のサブ帯域で送信し、前記第一の受信チャネルが第一の受信アンテナを用いて前記第二のサブ帯域で受信するステップをさらに含み、
前記共有基地局サイトと第二の上り受信チャネルが配置された前記非共有基地局サイトとの間の距離が所定の閾値より小さい場合、共有基地局サイトにおける第一の送信アンテナと共有基地局サイトにおける第一の受信アンテナが別々に配置されたアンテナであり、第一の送信アンテナの主ビームカバレッジ内で、前記第一の送信アンテナが存在する共有基地局サイトとの相対距離が所定の閾値より小さく、且つ第三のサブ帯域に第二の上り受信チャネルが配置された非共有基地局サイトが存在しないことを特徴とする
請求項２に記載の方法。
【請求項５】
前記第一の地理的領域に、前記第一のサブ帯域で１組の共有基地局サイトに配置された第一の送信チャネルを用いて同じ周波数で地上波テレビ放送信号を送信するステップをさらに含むことを特徴とする
請求項２に記載の方法。
【請求項６】
次のモードの１つ又は複数の組み合わせで前記第一のサブ帯域を用いるステップをさらに含み、
モードについて、
隣接する共有基地局サイト間に第一のサブ帯域のスペクトル資源を協調し、第一のサブ帯域を、１組の隣接する共有基地局サイトによってカバーされたセルの間に時分割で異なるセル内の下り伝送に用いるモード、
隣接する共有基地局サイト間に第一のサブ帯域のスペクトル資源を協調し、第一のサブ帯域を、１組の隣接する基地局サイトによってカバーされたセルの間にソフト周波数再利用で異なるセル内の下り伝送に用いるモード、
第一のサブ帯域と第二の帯域に含まれる下り帯域でキャリアアグリゲーション伝送を行うモード、
第一のサブ帯域でポイントツーポイントで端末へサービスデータを送信し、第二のサブ帯域でネットワーク側へ前記サービスデータのフィードバックデータ又は制御データを送信するモードであることを特徴とする
請求項２に記載の方法。
【請求項７】
第一のサブ帯域に配置された前記第一の送信チャネルは、次のモードの１つで信号を送信し、
モードについて、
(１)第一のサブ帯域で第一のキャリア及びテレビ放送無線技術仕様を用いてテレビ受信機へテレビ放送信号を送信するとともに、第二のキャリア及び移動通信無線技術仕様を用いて移動通信受信機へ信号を送信するモード、
(２)第一のサブ帯域で、第一の時間区間でテレビ放送無線技術仕様を用いてテレビ受信機へテレビ放送信号を送信し、第二の時間区間で移動通信無線技術仕様を用いて移動通信受信機へ信号を送信し、第一の時間区間と第二の時間区間の値の範囲が数分から数時間であるモードであることを特徴とする
請求項１に記載の方法。
【請求項８】
第一のサブ帯域における地上波テレビ放送信号を監視し、具体的に、
第一の送信アンテナによってカバーされた地理的領域に、少なくとも１つのテレビ放送チャネル監視装置を配置し、前記監視装置が第一の帯域における第一の送信チャネルによって送信された信号を受信するステップを更に含むことを特徴とする
請求項５に記載の方法。
【請求項９】
第一のサブ帯域における地上波テレビ放送信号を監視し、具体的に、
第一の送信アンテナによってカバーされた地理的領域に、少なくとも１つのテレビ放送チャネル監視装置を配置し、前記監視装置が第一の帯域における第一の送信チャネルによって送信された信号を受信するとともに、有線伝送チャネルを介して第一の帯域における測定すべき放送ビットストリームを取得し、無線チャネルと有線チャネルから受信された信号を比較して、第一の帯域で受信された信号の伝送品質を確定し、又は、
第一の送信アンテナによってカバーされた地理的領域に、少なくとも１つのテレビ放送チャネル監視装置を配置し、前記監視装置が第一の帯域における第一の送信チャネルによって送信されたテレビ放送信号又は測定信号を受信し、前記テレビ放送信号又は測定信号を測定して、測定結果をネットワーク側に報告するステップを更に含み、
前記測定されたパラメータは、
(１)信号が監視装置に到達する時の電力と、
(２)異なる基地局サイトにある第一の送信チャネルによって送信された信号が監視装置に到達する到達時間、及び有線伝送チャネルを介して取得された第一の帯域における測定すべき放送ビットストリームと、
(３)監視装置に信号を受信する時のビット誤り率の少なくとも１つを含むことを特徴とする
請求項５に記載の方法。
【請求項１０】
第二の帯域によってカバーされた第一の地理的領域に、陸上移動通信基地局に用いられる基地局サイトから１組の基地局サイトを、地上波テレビ放送と陸上移動通信ネットワークとの共有基地局サイトとして確定する、帯域外漏洩干渉を抑制するシステムであって、
第一のサブ帯域に配置された少なくとも１つの第一の送信チャネルと、第二のサブ帯域に配置された第一の受信チャネルを更に含み、ここで、前記第一の送信チャネルが中間電力及び／又は低電力でテレビ放送信号を送信し、前記第一のサブ帯域が第二の帯域に近接または隣接し、前記第一のサブ帯域と前記第二のサブ帯域との間に第二の帯域に属する第三のサブ帯域が存在し、前記第三のサブ帯域が共有基地局サイトに第一の送信チャネルの帯域外漏洩電力の第一の受信チャネルに対する干渉を抑制することに用いられることを特徴とするシステム。
【請求項１１】
前記第二のサブ帯域と前記第三のサブ帯域は、周波数分割多重ＦＤＤシステムに用いられると計画される上り帯域又は時分割多重ＴＤＤシステムに用いられると計画される帯域であることを特徴とする
請求項１０に記載のシステム。
【請求項１２】
前記共有基地局サイトに、前記第一の送信チャネルが第一の送信アンテナを用いて前記第一のサブ帯域で送信し、前記第一の受信チャネルが第一の受信アンテナを用いて前記第二のサブ帯域で受信し、
前記共有基地局サイトと第二の上り受信チャネルが配置された非共有基地局サイトとの間の距離が所定の閾値より小さい場合、共有基地局サイトにおける第一の送信アンテナと共有基地局サイトにおける第一の受信アンテナが別々に配置されたアンテナであり、第一の送信アンテナの主ビームカバレッジ内で、前記第一の送信アンテナが存在する共有基地局サイトとの相対距離が所定の閾値より小さく、且つ第三のサブ帯域に第二の上り受信チャネルが配置された非共有基地局サイトが存在しなく、前記第二の上り受信チャネルが、陸上移動通信基地局が第三のサブ帯域で端末からの信号を受信するチャネルであることを特徴とする
請求項１０に記載のシステム。
【請求項１３】
前記第一の送信チャネルは、次のモードの１つで信号を送信し、モードについて、
(１)第一のサブ帯域で第一のキャリア及びテレビ放送無線技術仕様を用いてテレビ受信機へテレビ放送信号を送信するとともに、第二のキャリア及び移動通信無線技術仕様を用いて移動通信受信機へ信号を送信するモード、
(２)第一のサブ帯域で、第一の時間区間でテレビ放送無線技術仕様を用いてテレビ受信機へテレビ放送信号を送信し、第二の時間区間で移動通信無線技術仕様を用いて移動通信受信機へ信号を送信し、前記第一の時間区間と第二の時間区間の値の範囲が数分から数時間であるモードであることを特徴とする
請求項１０に記載のシステム。
【請求項１４】
送信チャネルの受信チャネルに対する帯域外干渉を抑制する方法であって、請求項１に記載の方法に基づいて、
端末がテレビ放送無線フレームにおける１つ又は複数のスロットでテレビ放送信号を受信し、そして前記テレビ放送信号を受信するスロットの位置又はスロットの番号の情報をネットワーク側に報告し、端末がテレビ放送信号を受信しない時間区間でネットワーク側へ信号を送信し、又はネットワーク側が端末から報告された、前記テレビ放送信号を受信するスロットの情報によって、端末がテレビ放送信号を受信しない時間区間でネットワーク側へ信号を送信するように制御するステップ、又は、
端末がテレビ放送無線フレームにおける１つ又は複数のスロットでテレビ放送信号を受信し、且つ端末がテレビ放送信号を受信するとともに、ネットワーク側へ上り信号を送信するステップを含み、前記上り信号がショートパケットで送信され、データをショートパケットで送信するために用いられる伝送時間間隔（ＴＴＩ）が、テレビ放送チャネルが耐え得る減衰時間長さより小さいことを特徴とする方法。
【請求項１５】
受信モジュールと送信モジュールとを含む端末であって、
前記端末は請求項１４に記載の方法を実現するための端末であり、
受信モジュールは、第一のサブ帯域で送信されるテレビ放送無線フレームに含まれる１つ又は複数のスロットでテレビ放送信号を受信することに用いられ、
送信モジュールは、テレビ放送信号を受信する前記スロットの位置又はスロットの番号の情報をネットワーク側に報告し、そしてテレビ放送信号を受信しない時間区間でネットワーク側へ信号を送信し、又はネットワーク側の制御によって、テレビ放送信号を受信しない時間区間でネットワーク側へ信号を送信することに用いられ、又は、
送信モジュールは、テレビ放送信号を受信するとともに、ネットワーク側へ上り信号を送信することに用いられ、前記上り信号がショートパケットで送信され、データをショートパケットで送信するために用いられるＴＴＩが、テレビ放送チャネルが耐え得る減衰時間長さより小さいことを特徴とする端末。
【発明の詳細な説明】
【技術分野】
【０００１】
本発明は、無線通信分野に関し、特に帯域外漏洩干渉を抑制する方法及びシステムに関する。
【背景技術】
【０００２】
通常、地上波テレビ放送は、無線周波数（Ｒａｄｉｏｆｒｅｑｕｅｎｃｙ、ＲＦ）電力が数キロワット〜数百キロワットの送信機により大面積のカバレッジを達成するが、このような高電力の送信機は、強い帯域外漏洩電力を生成し、強い帯域外漏洩電力が隣接または近接する帯域に配置された移動通信基地局又は移動端末の受信チャネルに強く干渉し、ひいては基地局又は移動端末の受信機をブロックする。現在、このような干渉の強さと分布に対していくつかの実際のテスト及び研究を完了し、テストより分かるように、地上波テレビ送信機の電力が数百キロワットである場合、テレビ送信機からの１０キロの範囲内で、テレビ送信機の帯域外漏洩電力（ＯＯＢ：ｏｕｔ  ｏｆ  ｂａｎｄ  ｅｍｉｓｓｉｏｎ）が−３０ｄＢｍ〜−６０ｄＢｍの範囲内にあり、この電力が移動通信ネットワークのネットワーク計画に要求される−９０ｄＢｍ〜−７０ｄＢｍを大幅に超える。
【０００３】
地上波テレビ放送送信機が時分割複信移動通信基地局と隣接帯域にチャネルを配置される場合、又はＦＤＤシステムの上りチャネルと隣接して動作する場合、前記地上波テレビ放送送信機の帯域外漏洩電力が基地局受信機に深刻に干渉し、このような干渉により、システムの上り容量が低減され、上りカバレッジが狭くなり、ひいては上り受信チャネルがブロックされる。
【０００４】
送信機の受信機に対する隣接帯域干渉を抑制する従来の措置は、送信機と隣接帯域での受信機との間に１個の固定された保護帯域を配置し、例えば、帯域幅５ＭＨｚの保護帯域を配置することであり、このような方法は、保護帯域の導入によりスペクトルの利用効率が低下し、特に地上波テレビ放送送信機の隣接または近接する帯域での陸上移動通信システムの基地局に対する上り干渉が問題となり、地上波テレビ放送に用いられる高電力又は超高電力の送信機が強い帯域外漏洩電力を生成するので、このような帯域外漏洩電力の干渉を抑制するために、テレビ送信チャネルと陸上移動通信受信チャネルとの間に５ＭＨｚ帯域幅よりもはるかに大きい保護帯域を導入する必要があり、このようにしてスペクトル利用効率がさらに低減してしまう。
【０００５】
特許出願番号ＣＮ２００９１００７６５４２．６、発明の名称「保護帯域の使用方法及び装置」の発明に、以下の４種類のスペクトル使用モードが開示される。
【０００６】
(１)ＴＤＤシステムでの第一の基地局は、上り保護帯域での第一の周波数リソースを第一のユーザ装置に割り当ててリソーススケジューリング情報を送信し、前記上り保護帯域がＦＤＤ上り帯域とＴＤＤ帯域との間の保護帯域であり、第一の基地局は、第一のユーザ装置がリソーススケジューリング情報によって第一の周波数リソースにおいて上り時間セルに搬送して送信する上りデータを受信し、第一の基地局は、第二の周波数リソースにおいて下りデータを下り時間セルに搬送して第一のユーザ装置に送信し、前記第二の周波数リソースが下り保護帯域内での周波数リソース及び／又はＴＤＤ帯域での周波数リソースを含む。
【０００７】
(２)ＴＤＤシステムでの第一の基地局は、下り保護帯域での第二の周波数リソースにおいてデータを第一のユーザ装置に送信し、前記下り保護帯域がＴＤＤ帯域とＦＤＤ下り帯域との間の保護帯域であり、第一のユーザ装置は、第一の周波数リソースにおいて上り時間セルに送信される上りデータを搬送し、前記第一の周波数リソースが上り保護帯域での周波数リソース及び／又はＴＤＤ帯域での周波数リソースを含む。
【０００８】
(３)ＴＤＤシステムでの第一の基地局は、上り保護帯域での第一の周波数リソースを第一のユーザ装置に割り当ててリソーススケジューリング情報を送信し、第一の基地局は、第一のユーザ装置がリソーススケジューリング情報によって第一の周波数リソースにおいて上り時間セルに搬送して送信する上りデータを受信し、第一の基地局は、第二の周波数リソースにおいて下りデータを下り時間セルに搬送して第一のユーザ装置に送信し、前記第二の周波数リソースが下り保護帯域での周波数リソース及び／又はＦＤＤ帯域での下り周波数リソースを含む。
【０００９】
(４)ＦＤＤシステムでの端末は、第二の周波数リソースとするＦＤＤ下り帯域とＴＤＤ帯域との間の保護帯域でデータを受信し、前記端末は、第一の周波数リソースにおいて基地局へデータを送信し、前記第一の周波数リソースが上り保護帯域での周波数リソース及び／又はＦＤＤ帯域での上り周波数リソースを含む。
【００１０】
既存の保護帯域の使用方法は、１個の確定された帯域幅を前提として、この確定された帯域幅をさらに使用するものであり、保護帯域の幅を低下させることができない。
【００１１】
特許出願番号ＣＮ２００９１００７６５４２．６の欠点は、特定のシステム間に存在する特定の帯域幅を有する保護帯域のみをより使用することができるが、前記特定のシステム間の保護帯域を低減させることができないことである。
【発明の概要】
【発明が解決しようとする課題】
【００１２】
これを鑑みて、本発明の主な目的は、地上波テレビ放送システムと陸上移動通信システムとの間の保護帯域の幅を著しく低減させて、スペクトルの利用効率を向上させることができる、帯域外漏洩干渉を抑制する方法及びシステムを提供することにある。
【課題を解決するための手段】
【００１３】
前記目的を実現するために、本発明の技術的スキームが以下のように実現される。
【００１４】
本発明に係る帯域外漏洩干渉を抑制する方法は、
第二の帯域によってカバーされた第一の地理的領域に、第一の帯域に含まれる第一のサブ帯域に中間電力及び／又は低電力で送信する第一の送信チャネルを配置し、前記第一のサブ帯域が第二の帯域に近接または隣接し、前記第一の帯域が地上波テレビ放送システムの計画帯域に属し、前記第二の帯域が陸上移動通信システムの計画帯域に属するステップと、
前記第一の地理的領域に、陸上移動通信基地局に用いられる基地局サイトから１組の基地局サイトを、地上波テレビ放送送信アンテナと陸上移動通信基地局アンテナの共有基地局サイトとして確定するステップと、
前記共有基地局サイトに、前記第一のサブ帯域に第一の送信チャネルを配置し、前記第二の帯域での第二のサブ帯域に第一の受信チャネルを配置し、前記第一のサブ帯域と前記第二のサブ帯域との間に第二の帯域に属する第三のサブ帯域が存在し、前記第三のサブ帯域が共有基地局サイトに第一の送信チャネルの帯域外漏洩電力の第一の受信チャネルに対する干渉を抑制することに用いられるステップと、を含む。
【００１５】
上記のスキームにおいて、前記第三のサブ帯域が前記第二のサブ帯域に隣接し、且つ前記第三のサブ帯域が非共有基地局サイトにある第二の上り受信チャネルに用いられる帯域であり、前記第二の上り受信チャネルが、陸上移動通信基地局が第三のサブ帯域で端末からの信号を受信するチャネルである。
【００１６】
上記のスキームにおいて、前記第二のサブ帯域と前記第三のサブ帯域は、周波数分割多重ＦＤＤシステムに用いられると計画される上り帯域又は時分割多重ＴＤＤシステムに用いられると計画される帯域である。
【００１７】
上記のスキームにおいて、当該方法は、前記共有基地局サイトに、前記第一の送信チャネルが第一の送信アンテナを用いて前記第一のサブ帯域で送信し、前記第一の受信チャネルが第一の受信アンテナを用いて前記第二のサブ帯域で受信するステップを更に含み、
前記共有基地局サイトと第二の上り受信チャネルが配置された前記非共有基地局サイトとの間の距離が所定の閾値より小さい場合、共有基地局サイトにおける第一の送信アンテナと共有基地局サイトにおける第一の受信アンテナが別々に配置されたアンテナであり、第一の送信アンテナの主ビームカバレージ内で、前記第一の送信アンテナが存在する共有基地局サイトとの相対距離が所定の閾値より小さく、且つ第三のサブ帯域に第二の上り受信チャネルが配置された非共有基地局サイトが存在しない。
【００１８】
上記スキームにおいて、当該方法は、前記第一の地理的領域に、前記第一のサブ帯域で１組の共有基地局サイトに配置された第一の送信チャネルを用いて同じ周波数で地上波テレビ放送信号を送信するステップをさらに含む。
【００１９】
上記のスキームにおいて、当該方法は、次のモードの１つ又は複数の組み合わせで前記第一の帯域を用いるステップをさらに含む。
【００２０】
隣接する共有基地局サイト間に第一のサブ帯域のスペクトル資源を協調して、第一のサブ帯域を、１組の隣接する共有基地局サイトによってカバーされたセルの間に時分割で異なるセル内の下り伝送に用いる。
【００２１】
隣接する共有基地局サイト間に第一のサブ帯域のスペクトル資源を協調して、第一のサブ帯域を、１組の隣接する基地局サイトによってカバーされたセルの間にソフト周波数再利用で異なるセル内の下り伝送に用いる。
【００２２】
第一のサブ帯域と第二の帯域に含まれる下り帯域でキャリアアグリゲーション伝送を行う。
【００２３】
第一のサブ帯域でポイントツーポイントで端末へサービスデータを送信し、第二のサブ帯域でネットワーク側へ前記サービスデータのフィードバックデータ又は制御データを送信する。
【００２４】
上記のスキームにおいて、第一のサブ帯域に配置された前記第一の送信チャネルは、次のモードの一つで信号を送信する。
【００２５】
(１)第一のサブ帯域で第一のキャリア及びテレビ放送無線技術仕様を用いてテレビ受信機へテレビ放送信号を送信するとともに、第二のキャリア及び移動通信無線技術仕様を用いて移動通信受信機へ信号を送信する。
【００２６】
(２)第一のサブ帯域で、第一の時間区間でテレビ放送無線技術仕様を用いてテレビ受信機へテレビ放送信号を送信し、第二の時間区間で移動通信無線技術仕様を用いて移動通信受信機へ信号を送信し、第一の時間区間と第二の時間区間の値の範囲が数分から数時間である。
【００２７】
上記のスキームにおいて、前記方法は、第一の帯域における地上波テレビ放送信号を監視し、具体的に、
第一の送信アンテナによってカバーされた地理的領域に、少なくとも１つのテレビ放送チャネル監視装置が配置され、前記監視装置が第一の帯域における第一の送信チャネルによって送信された信号を受信するステップをさらに含む。
【００２８】
上記のスキームにおいて、前記方法は、第一のサブ帯域における地上波テレビ放送信号を監視し、具体的に、
第一の送信アンテナによってカバーされた地理的領域に、少なくとも１つのテレビ放送チャネル監視装置が配置され、前記監視装置が第一の帯域における第一の送信チャネルによって送信された信号を受信するとともに、有線伝送チャネルを介して第一の帯域における測定すべき放送ビットストリームを取得し、無線チャネルと有線チャネルから受信された信号を比較して、第一の帯域で受信された信号の伝送品質を確定するステップ、又は、
第一の送信アンテナによってカバーされた地理的領域に、少なくとも１つのテレビ放送チャネル監視装置が配置され、前記監視装置が第一の帯域における第一の送信チャネルによって送信されたテレビ放送信号又は測定信号を受信して、前記テレビ放送信号又は測定信号を測定して、測定結果をネットワーク側に報告するステップとをさらに含む。
【００２９】
前記測定されるパラメータは、
１)信号が監視装置に到達する時の電力と、
２)異なる基地局サイトにある第一の送信チャネルによって送信された信号が監視装置に到達する到達時間、及び有線伝送チャネルを介して取得された第一の帯域における測定すべき放送ビットストリームと、
３)監視装置に信号を受信する時のビット誤り率の少なくとも一つを含む。
【００３０】
本発明に係る帯域外漏洩干渉を抑制する方法に基づいて、本発明は、帯域外漏洩干渉を抑制するシステムを提供し、当該システムでは、第二の帯域によってカバーされた第一の地理的領域に、陸上移動通信基地局に用いられる基地局サイトから１組の基地局サイトを、地上波テレビ放送と陸上移動通信ネットワークの共有基地局サイトとして確定し、
当該システムは、第一のサブ帯域に配置された少なくとも１つの第一の送信チャネル、第二のサブ帯域に配置された第一の受信チャネルをさらに含み、ここで、前記第一の送信チャネルが中間電力及び／又は低電力でテレビ放送信号を送信し、前記第一のサブ帯域が第二の帯域に近接または隣接し、前記第一のサブ帯域と前記第二のサブ帯域との間に第二の帯域に属する第三のサブ帯域が存在し、前記第三のサブ帯域が共有基地局サイトに第一の送信チャネルの帯域外漏洩電力の第一の受信チャネルに対する干渉を抑制することに用いられる。
【００３１】
上記のスキームにおいて、前記システムでは第二のサブ帯域と前記第三のサブ帯域が周波数分割多重ＦＤＤシステムに用いられると計画される上り帯域又は時分割多重ＴＤＤシステムに用いられると計画される帯域である。
【００３２】
上記のスキームにおいて、前記システムでは、前記共有基地局サイトに、前記第一の送信チャネルが第一の送信アンテナを用いて前記第一のサブ帯域で送信し、前記第一の受信チャネルが第一の受信アンテナを用いて前記第二のサブ帯域で受信し、
前記共有基地局サイトと第二の上り受信チャネルが配置された前記非共有基地局サイトとの間の距離が所定の閾値より小さい場合、共有基地局サイトにおける第一の送信アンテナと共有基地局サイトにおける第一の受信アンテナが別々に配置されたアンテナであり、第一の送信アンテナの主ビームカバレージ内で、前記第一の送信アンテナが存在する共有基地局サイトとの相対距離が所定の閾値より小さく、且つ第三のサブ帯域に第二の上り受信チャネルが配置された非共有基地局サイトが存在しなく、前記第二の上り受信チャネルが、陸上移動通信基地局が第三のサブ帯域で端末からの信号を受信するチャネルである。
【００３３】
上記のスキームにおいて、前記システムでは、前記第一の送信チャネルは、以下のモードの一つで信号を送信する。
【００３４】
(１)第一のサブ帯域で第一のキャリア及びテレビ放送無線技術仕様を用いてテレビ受信機へテレビ放送信号を送信するとともに、第二のキャリア及び移動通信無線技術仕様を用いて移動通信受信機へ信号を送信する。
【００３５】
(２)第一のサブ帯域で第一の時間区間でテレビ放送無線技術仕様を用いてテレビ受信機へテレビ放送信号を送信し、第二の時間区間で移動通信無線技術仕様を用いて移動通信受信機へ信号を送信し、前記第一の時間区間と第二の時間区間の値の範囲が数分から数時間である。
【００３６】
本発明の実施形態に基づいて、本発明は、さらに送信チャネルの受信チャネルに対する帯域外干渉を抑制する方法を提供し、当該方法は、本発明に係る帯域外漏洩干渉を抑制する方法に基づいて、端末の上り送信チャネルの帯域外漏洩電力の、同じ端末でのテレビ放送受信チャネルに対する干渉を抑制することに用いられ、当該方法は、
端末がテレビ放送無線フレームにおける１つ又は複数のスロットでテレビ放送信号を受信し、そして前記テレビ放送信号を受信するスロットの位置又はスロットの番号の情報をネットワーク側に報告し、端末がテレビ放送信号を受信しない時間区間でネットワーク側へ信号を送信し、又は、ネットワーク側が端末から報告された、前記テレビ放送信号を受信するスロットの情報によって、端末がテレビ放送信号を受信しない時間区間でネットワーク側へ信号を送信するように制御するステップ、又は、
端末がテレビ放送無線フレームにおける１つ又は複数のスロットでテレビ放送信号を受信し、且つ端末がテレビ放送信号を受信するとともに、ネットワーク側へ上り信号を送信するステップを含み、前記上り信号がショートパケットで送信され、データをショートパケットで送信するために用いられる伝送時間間隔（ＴＴＩ：Ｔｒａｍｓｍｉｓｓｉｏｎ  Ｔｉｍｅ  Ｉｎｔｅｒｖａｌ）が、テレビ放送チャンネルが耐え得る減衰時間長さより小さい。
【００３７】
本発明に基づいてさらに端末を提供し、当該端末は、本発明に係る帯域外漏洩干渉を抑制するシステムにあり、受信モジュールと送信モジュールとを含み、ここで、
受信モジュールは、第一のサブ帯域で送信されたテレビ放送無線フレームに含まれる１つ又は複数のスロットでテレビ放送信号を受信することに用いられ、
送信モジュールは、テレビ放送信号を受信する前記スロットの位置又はスロットの番号の情報をネットワーク側に報告し、そしてテレビ放送信号を受信しない時間区間でネットワーク側へ信号を送信し、又はネットワーク側の制御によってテレビ放送信号を受信しない時間区間でネットワーク側へ信号を送信することに用いられ、又は、
送信モジュールは、テレビ放送信号を受信するとともに、ネットワーク側へ上り信号を送信することに用いられ、前記上り信号がショートパケットで送信され、データをショートパケットで送信するために用いられるＴＴＩが、テレビ放送チャネルが耐え得る減衰時間長さより小さい。
【００３８】
本発明は、中低電力の地上波テレビ放送送信チャネルと陸上移動通信システムが基地局サイトを共用するような配置モードを用いることで、従来の高電力、超高電力の地上波テレビ放送送信機の帯域外漏洩電力の生成を避けて、共有基地局サイトに移動通信上りチャネルに用いられると計画される帯域の一部（本発明に記載される第三のサブ帯域）を中低電力の地上波テレビ放送チャネルと共有基地局サイトにある陸上移動通信システムの上りチャネルとの間の隔離帯域として用いることで、さらに中低電力送信の地面テレビ放送送信チャネルの帯域外漏洩電力の陸上移動通信上りチャネルに対する干渉を減少させるが、隔離帯域とする、陸上移動通信上りチャネルに用いられると計画される帯域の一部が共有基地局サイト以外の基地局サイト又は他のオペレータの基地局サイトに用いられてもよい。
【００３９】
上記の措置により、従来の超高電力の地上波テレビ放送送信機の送信電力により生成された帯域外漏洩を著しく低下させて、それによって地上波テレビ放送システムと陸上移動通信システムとの間の保護帯域の幅を低減させて、スペクトルの利用効率を向上させる。超高電力の送信機の代わりに、中低電力で分散配置された地上放送送信機を採用するので、送信機の帯域外漏洩指標に対して厳しい要求を提出することを避けることができ、送信機のコストを削減させることが容易になる。
【図面の簡単な説明】
【００４０】
【図１】本発明に係る帯域外漏洩干渉を抑制する方法のフローチャートである。
【図２】共有基地局サイトにある放送チャネルと移動通信上りチャネルの配置モードを示す模式図である。
【図３】本発明に係る端末の構成を示す模式図である。
【図４】放送チャネルと移動通信上りチャネルの配置モードの実例である。
【発明を実施するための形態】
【００４１】
本発明の基本的な考えは、地上波テレビ放送システムのネットワーキングモード及び陸上移動通信システムの基地局のチャネル配置モードを調整することで、従来の超高電力の地上波テレビ放送送信機の送信電力により生成された帯域外漏洩を低減させ、それによって地上波テレビ放送帯域と陸上移動通信システムとの間の保護帯域の幅を低減させて、スペクトルの利用効率を向上させることである。
【００４２】
以下、本発明で使用される用語を説明する。
【００４３】
(１)第一の帯域：地上波テレビ放送システムに属する計画帯域である。
【００４４】
(２)第二の帯域：陸上移動通信システムに属する計画帯域であって、ＦＤＤの上り帯域又はＴＤＤモードで用いられる帯域を含む。
【００４５】
(３)第一のサブ帯域：第一の帯域に含まれる、第二の帯域に隣接又は近接するサブ帯域であって、第一のサブ帯域に第一の送信チャネルが配置され、第一の送信チャネルが少なくとも１つの地上波テレビ放送チャネルをカバーする。
【００４６】
(４)第二のサブ帯域：第二の帯域に含まれるサブ帯域であって、第二の帯域に含まれる陸上移動通信システムの上りチャネルが配置された帯域である。
【００４７】
(５)第三のサブ帯域：第三のサブ帯域が第二のサブ帯域に隣接し、第二の帯域に含まれる陸上移動通信システムの上りチャネルが配置された帯域であって、第二の帯域がＦＤＤの上り帯域又はＴＤＤモードで用いられる帯域を含む。
【００４８】
(６)計画される地上波テレビ放送システムと陸上移動通信システムとの間の隔離帯域：第二の帯域に含まれ、第一の帯域と第三のサブ帯域との間にあり、スペクトル管理ルールに従って、当該帯域が第一の帯域と第二の帯域との間の干渉を抑制する計画帯域とする。
【００４９】
(７)共有基地局サイト：地上波テレビ放送システムと陸上移動通信システムの共有基地局サイト、即ち同じ基地局サイトに、第一の帯域に地上波テレビ放送下りチャネルが配置され且つ第二の帯域に陸上移動通信システムの上りチャネルが配置された基地局サイトである。
【００５０】
(８)共有基地局サイトに配置された隔離帯域：第一の帯域と第二の帯域との間に位置する帯域であり、第三のサブ帯域を含む。共有基地局サイトに配置された隔離帯域は、１)第三のサブ帯域のみを含む帯域、２)第三のサブ帯域と計画される地上波テレビ放送システムと陸上移動通信システムとの間の隔離帯域を含む帯域のうちの一つである。
【００５１】
(９)第三のサブ帯域：第二の帯域の隣接帯域であって、非共有基地局サイトにある基地局が第三のサブ帯域に上りチャネルを配置して、共有基地局サイトに配置された隔離帯域に含まれる１つのサブ帯域である。
【００５２】
(１０)第一の地理的領域：陸上移動通信ネットワークにおいて第二のサブ帯域及び／又は第三のサブ帯域を用いてカバーする領域である。
【００５３】
本発明は、地上波テレビ放送システムのネットワーキングモード及び陸上移動通信システムの基地局のチャネル配置モードを調整することは、次の３点を含む。
【００５４】
１)地上波テレビ放送帯域に中低電力の送信機を分散して配置して単一周波数ネットワーキングを実現する。
【００５５】
２)中低電力のテレビ放送送信機と陸上移動通信システムが共有基地局サイトに配置される。
【００５６】
３)陸上移動通信システムの基地局の上りチャネルと共有基地局サイトに配置された中低電力の地上波テレビ放送送信機との間に隔離帯域を設置することで、地上波テレビ放送チャネルの陸上移動通信基地局の上りチャネルに対する帯域外漏洩干渉を減少させて、それによって地上波テレビ放送チャネルと陸上移動通信基地局の上りチャネルとの間の隔離帯域の幅を低減させる。
【００５７】
さらに、空間多重化により、前記隔離帯域内に位置する、陸上移動通信システムの基地局の上りチャネルに用いられると計画される帯域を、中低電力の地上波テレビ送信機を配置しない基地局サイトに配置することで、移動通信へ計画される上りスペクトルに対する有効利用を実現する。
【００５８】
本発明において、高電力で集中化して送信する地上波テレビ放送カバーモードを１組の中間電力又は低電力の送信機で分散して送信する地上波テレビ放送カバーモードに変更した後、問題１が生じる。問題１：どのように多くの中間電力又は低電力の送信機の配置を経済的に実現するかであり、どのようにこれらの中間電力又は低電力の送信機のために基地局サイトを選択するかとどのようにこれらの中間電力又は低電力の送信機のために伝送ネットワークを構築するかを含み、この問題を解決する方法は、中間電力又は低電力の送信機を陸上移動通信システムの基地局に配置し、陸上移動通信システムと基地局サイトを共有すること、又は、さらに伝送ネットワークを共有することである。基地局サイトを共有すると更に問題２が生じる。問題２：どのように陸上移動通信システムの同じサイトに配置された地上波テレビ放送送信機の陸上移動通信システムの基地局の受信チャネルに対する干渉を解決するようかであり、このような問題を解決する方法は、地上波テレビ放送送信機の下りチャネルと共有基地局サイトに配置された陸上移動通信システムの受信チャネルとの間に１つの隔離帯域を設置し、この隔離帯域が陸上移動通信システムの上りチャネルに用いられると計画される帯域の一部を含み、さらに地上波テレビ放送送信機の下りチャネルに用いられるアンテナと共有基地局サイトに配置された陸上移動通信システムの受信チャネルに用いられるアンテナとの間に空間隔離を設置することである。
【００５９】
上記の問題１と問題２の解決により、第一の帯域での下りチャネルの帯域外漏洩の第二の帯域での基地局の受信チャネルに対する干渉を解決し、しかしながら、前記共有基地局サイトと第三のサブ帯域に上りチャネルが配置された第二種類の基地局サイト（第一の送信チャネルが配置されない基地局サイト）が地理的に隣接または近接する場合、次の問題が生じる。
【００６０】
問題３：第一の送信チャネルの帯域外漏洩電力が第二種類の基地局サイトでの第三のサブ帯域に配置された上りチャネルに強く干渉する。
【００６１】
問題３の解決方法は次の通りである。第一の送信チャネルの帯域幅に１つ又は複数の地上波テレビ放送チャネルを含むことができ、即ち第一のサブ帯域に放送チャネルを配置する場合に、同じ送信チャネル（例えば同じ増幅器）を用いて１つ又は複数の放送チャネルに対して送信することができ、なぜなら、１つの放送チャネルが６〜８Ｍの帯域幅を占める。１つのＲＦチャネルは、２０ＭＨｚの帯域幅を実現することができ、そのため、１つの増幅器を用いて最大３つの放送チャネルを送信することができる。問題３についての隔離性能をさらに向上させるために、解決方法は、更にテレビチャネルから一部を保護帯域として取ること、又は、第一の送信チャネルのアンテナを配置する時にアンテナの方向性、例えば前後比特性を利用して、空間的に隔離し、例えば共有基地局サイトに配置された第一の送信チャネルの送信アンテナの方向及び／又は共有基地局サイトでのインストール位置を調整して、第二種類の基地局サイトでの第三のサブ帯域における上りチャネルに用いられる受信アンテナを送信チャネルに用いられるアンテナの主ビーム方向以外の領域に位置させることである。
【００６２】
図１は、本発明の実施形態に係る帯域外漏洩干渉を抑制する方法のフローチャートであり、当該方法が基づく帯域配置は、図２を参照することができる。当該方法は、以下のステップを含む。
【００６３】
ステップＳ１０１において、第二の帯域によってカバーされた第一の地理的領域に、第一の帯域に含まれる第一のサブ帯域に中間電力及び／又は低電力で送信する１組の第一の送信チャネルを配置する。
【００６４】
前記第一の帯域は、地上波テレビ放送システムの計画帯域に属し、前記第二の帯域は、陸上移動通信システムの計画帯域に属し、前記第一のサブ帯域が第二の帯域に近接または隣接する。
【００６５】
ステップ１０２において、前記第一の地理的領域に、陸上移動通信基地局に用いられる基地局サイトから１組の基地局サイトを、地上波テレビ放送送信アンテナと陸上移動通信基地局のアンテナとの共有基地局サイトとして確定する。
【００６６】
ステップ１０３において、前記共有基地局サイトに、前記第一のサブ帯域に第一の送信チャネルを配置し、陸上移動通信帯域における第二のサブ帯域に第一の受信チャネルを配置し、前記第一のサブ帯域と前記第二のサブ帯域との間に第二の帯域に属する第三のサブ帯域が存在し、第三のサブ帯域が第二のサブ帯域に隣接し、且つ第三のサブ帯域が非共有基地局サイトに配置された第二の上り受信チャネルに用いられる帯域である。
【００６７】
前記第二の上り受信チャネルは、第一の上り受信チャネルと異なる基地局サイトに配置された基地局の受信チャネルであり、第二の上り受信チャネルに占められる第三のサブ帯域は、通常他のオペレータより使用される帯域である。第一のサブ帯域における第一の送信チャネルと第一の上り受信チャネルが共有基地局サイトに配置される場合、第一の送信チャネルと第一の上り受信チャネルとの間に１つの第三のサブ帯域が存在して隔離帯域とするので、第一の送信チャネルは、共有基地局サイトに配置された第二の上り受信チャネルに干渉しない。さらに、第三のサブ帯域が他のオペレータより使用されるので、スペクトルが浪費されない。
【００６８】
前記第三のサブ帯域は、共有基地局サイトに第一の送信チャネルの帯域外漏洩電力の第一の受信チャネルに対する干渉を抑制することに用いられる。前記第二のサブ帯域と前記第三のサブ帯域は、周波数分割多重ＦＤＤシステムに用いられると計画される上り帯域又は時分割多重ＴＤＤシステムに用いられると計画される帯域である。
【００６９】
前記共有基地局サイトにある第一の送信チャネルの近く配置された非共有基地局サイトに対する帯域外漏洩をさらに抑制するために、前記方法は、さらに次のステップを含む。
【００７０】
前記共有基地局サイトと第二の上り受信チャネルが配置された前記非共有基地局サイトとの間の距離が所定の閾値より小さい場合、共有基地局サイトにおける第一の送信アンテナと第一種類の基地局サイト即ち共有基地局サイトにおける第一の受信アンテナが別々に配置されたアンテナであり、且つ、次のルールに従って第一の送信アンテナの主ビーム方向を配置する。即ち、第一の送信アンテナの主ビームカバレッジ内で、第一の送信アンテナが存在する共有基地局サイトとの相対距離が所定の閾値より小さく且つ第三のサブ帯域に第二の上り受信チャネルが配置された非共有基地局サイトが存在しない。
【００７１】
さらに、当該第一の送信アンテナが存在する共有基地局サイトと近接配置された、第二の上り受信チャネルが配置された非共有基地局サイトの近くの地理的領域のテレビ放送信号カバーは、他の共有基地局サイトにある第一の送信チャネルによって実施される。
【００７２】
本発明に係る帯域外漏洩干渉を抑制する方法に基づいて、第一の地理的領域に、共有基地局サイトに分散配置された、第一のサブ帯域で動作する送信機により送信された地上波テレビ放送信号を監視して、ネットワークカバレッジの品質を実際的に把握するために、本発明は、さらに第一のサブ帯域における地上波テレビ放送信号を監視する２つの方法を提供し、具体的に以下のとおりである。
【００７３】
方法１において、第一の送信アンテナによってカバーされた地理的領域に、少なくとも１つのテレビ放送チャネル監視装置を配置し、前記監視装置は、第一の帯域での第一の送信チャネルによって送信された信号を受信するとともに、有線伝送チャネルを介して第一の帯域での測定すべき放送ビットストリームを取得し、無線チャネルと有線チャネルから受信された信号を比較して、第一の帯域で受信された信号の伝送品質を確定する。
【００７４】
方法２において、第一の送信アンテナによってカバーされた地理的領域に、少なくとも１つのテレビ放送チャネル監視装置を配置し、前記監視装置が第一の帯域での第一の送信チャネルによって送信されたテレビ放送信号又は測定信号を受信して、前記テレビ放送信号又は測定信号を測定して、測定結果をネットワーク側に報告する。
【００７５】
前記測定のパラメータは、
１)信号が監視装置に到達する時の電力と、
２)異なる基地局サイトにある第一の送信チャネルにより送信された信号が監視装置に到達する到達時間、及び有線伝送チャネルを介して取得された第一の帯域での測定すべき放送ビットストリームと、
３）監視装置に信号を受信する時のビット誤り率のうちの少なくとも１つを含む。
【００７６】
監視装置は、エアインタフェース又は有線伝送チャネルを介して測定結果をネットワーク側に報告し、ネットワーク側によって第一の帯域の監視機構又はオペレータに伝送する。
【００７７】
更に、第一の地理的領域に、上述した第一のサブ帯域に１組の共有基地局サイトに配置された第一の送信チャネルを用いて同じ周波数で地上波テレビ放送信号を送信する以外、次のモードの１つ又は複数の組み合わせで第一のサブ帯域を用いる。
【００７８】
１、隣接する共有基地局サイト間に第一のサブ帯域のスペクトル資源を協調して、第一のサブ帯域を、１組の隣接する共有基地局サイトによってカバーされたセルの間に時分割で異なるセル内の下り伝送に用いる。
【００７９】
２、隣接する共有基地局サイト間に第一のサブ帯域のスペクトル資源を協調して、第一のサブ帯域を、１組の隣接する基地局サイトによってカバーされたセルの間にソフト周波数再利用で異なるセル内の下り伝送に用いる。
【００８０】
３、第一のサブ帯域と第二の帯域に含まれる下り帯域でキャリアアグリゲーション伝送を行い、即ち第一のサブ帯域におけるキャリアと第二のサブ帯域に含まれる下りキャリアを用いて同時に同じ端末へデータを伝送する。
【００８１】
４、第一のサブ帯域でサービスデータをポイントツーポイントで端末に送信し、第二のサブ帯域で前記サービスデータのフィードバックデータ又は制御データをネットワーク側に送信する。
【００８２】
共有基地局サイトに、第一の送信チャネルが第一の送信アンテナを用いて第一のサブ帯域で送信し、第一の受信チャネルが第一の受信アンテナを用いて第二のサブ帯域で受信し、第一の送信アンテナと第一の受信アンテナが共有基地局サイトに配置された２つの別々のアンテナ又は第一の送信チャネルと第一の受信チャネルによって共有された一つのアンテナであると更に説明すべきである。
【００８３】
更に、図２ｂに示すように、第一のサブ帯域と第三のサブ帯域との間に保護帯域２０４が存在し、当該保護帯域２０４は、技術仕様に規定された帯域である。
【００８４】
上記の方法を実現するために、本発明は、帯域外漏洩干渉を抑制するシステムを提供し、当該システムでは、第二の帯域によってカバーされた第一の地理的領域に、陸上移動通信基地局に用いられる基地局サイトから１組の基地局サイトを、地上波テレビ放送と陸上移動通信ネットワークの共有基地局サイトとして確定する。
【００８５】
当該システムは、第一のサブ帯域に配置された少なくとも１つの第一の送信チャネルと、第二のサブ帯域に配置された第一の受信チャネルを含み、ここで、前記第一の送信チャネルが中間電力及び／又は低電力でテレビ放送信号を送信し、前記第一のサブ帯域が第二の帯域に近接または隣接し、前記第一のサブ帯域と前記第二のサブ帯域との間に第二の帯域に属する第三のサブ帯域が存在し、前記第三のサブ帯域が共有基地局サイトに第一の送信チャネルの帯域外漏洩電力の第一の受信チャネルに対する干渉を抑制することに用いられる。
【００８６】
前記第二のサブ帯域と前記第三のサブ帯域は、周波数分割多重ＦＤＤシステムに用いられると計画される上り帯域又は時分割多重ＴＤＤシステムに用いられると計画される帯域である。
【００８７】
前記共有基地局サイトに、前記第一の送信チャネルは、第一のアンテナを用いて前記第一のサブ帯域で送信し、前記第一の受信チャネルは、第一の受信アンテナを用いて前記第二のサブ帯域で受信する。
【００８８】
前記共有基地局サイトと第二の上り受信チャネルが配置された前記非共有基地局サイトとの間の距離が所定の閾値より小さい場合、共有基地局サイトにおける第一の送信アンテナと共有基地局サイトにおける第一の受信アンテナは、別々に配置されたアンテナであり、第一の送信アンテナの主ビームカバレッジ内で、前記第一の送信アンテナが存在する共有基地局サイトとの相対距離が所定の閾値より小さく、且つ第三のサブ帯域に第二の上り受信チャネルが配置された非共有基地局サイトが存在しなく、前記第二の上り受信チャネルは、陸上移動通信基地局が第三のサブ帯域で端末からの信号を受信するチャネルである。
【００８９】
前記第一の送信チャネルは、次のモードの一つで信号を送信する。
【００９０】
(１)第一のサブ帯域で第一のキャリア及びテレビ放送無線技術仕様を用いてテレビ受信機へテレビ放送信号を送信するとともに、第二のキャリア及び移動通信無線技術仕様を用いて移動通信受信機へ信号を送信する。
【００９１】
(２)第一のサブ帯域で、第一の時間区間でテレビ放送無線技術仕様を用いてテレビ受信機へテレビ放送信号を送信し、第二の時間区間で移動通信無線技術仕様を用いて移動通信受信機へ信号を送信し、前記第一の時間区間と第二の時間区間の値の範囲は、数分から数時間である。
【００９２】
本発明に係る帯域外漏洩干渉を抑制する方法に基づいて、本発明は、また端末側が送信チャネルの受信チャネルに対する帯域外干渉を抑制する方法を提供し、端末の上り送信チャネルの帯域外漏洩電力の同じ端末内のテレビ放送受信チャネルに対する干渉を抑制することに適用し、当該方法は、次の方法の一つを含む。
【００９３】
方法１において、端末は、テレビ放送無線フレームにおける１つ又は複数のスロットでテレビ放送信号を受信し、且つ端末がテレビ放送信号を受信するスロットの位置又は番号情報をネットワーク側に報告し、
端末は、テレビ放送信号を受信しない時間区間でネットワーク側へ信号を送信し、又は、ネットワーク側は、端末から報告された、テレビ放送信号を受信するスロットの情報によって、端末がテレビ放送信号を受信しない時間区間でネットワーク側へ信号を送信するように制御する。
【００９４】
方法２において、端末は、テレビ放送無線フレームにおける１つ又は複数のスロットで受信し、且つ端末は、テレビ放送信号を受信するとともに、ネットワーク側へ上り信号を送信することであって、送信される信号がショートパケットで送信され、前記データをショートパケットで送信するために用いられるＴＴＩがテレビ放送チャネルが耐え得る減衰時間長さより小さいことを特徴とする。通常、テレビ放送がインターリーブド符号化により減衰の受信に対する影響を除去し、抵抗できる減衰時間がインターリービング深さ及び移動速度に関連し、通常、数ミリ秒レベルである。端末は、それが信号を受信する期間にネットワーク側へデータブロック又は伝送ブロックを伝送し、前記伝送ブロック又はデータブロックの伝送時間がテレビ放送チャネルの抗減衰時間又は衝撃干渉時間より小さく、通常、前記伝送ブロック又はデータブロックの伝送時間が１ミリ秒ぐらいである。本発明に記載される端末は、ネットワーク側へ信号を送信するために、テレビ放送チャネルに隣接または近接するチャネルを用いる。具体的には、端末は、本発明に記載される第二のサブ帯域又は第三のサブ帯域を用いる。
【００９５】
上述した送信チャネルの受信チャネルに対する帯域外漏洩干渉を抑制する方法を実現するために、本発明は、端末を提供する。図３に示すように、当該端末は、受信モジュール３１と送信モジュール３２とを含み、ここで、
受信モジュール３１は、第一のサブ帯域で送信されるテレビ放送無線フレームに含まれる１つ又は複数のスロットでテレビ放送信号を受信することに用いられ、
送信モジュール３２は、テレビ放送信号を受信する前記スロットの位置又は番号情報をネットワーク側に報告し、そしてテレビ放送信号を受信しない時間区間でネットワーク側へ信号を送信し、又はネットワーク側の制御によって、テレビ放送信号を受信しない時間区間でネットワーク側へ信号を送信することに用いられ、又は、
送信モジュール３２は、テレビ放送信号を受信するとともに、ネットワーク側へ上り信号を送信することに用いられ、前記上り信号がショートパケットで送信され、データをショートパケットで送信するために用いられるＴＴＩがテレビ放送チャネルが耐え得る減衰時間長さより小さい。
【００９６】
以下、アジア太平洋地域での６９８〜８０６ＭＨｚの帯域に対する帯域分割を実際の場面として、図４を参照して、地上波テレビ放送チャネルの帯域外漏洩電力の隣接する帯域における陸上移動通信システムの上りチャネルに対する干渉を抑制する実施方法を説明する。
【００９７】
図４に示すように、６９８ＭＨｚの左側は、地上波テレビ放送システムに用いられると計画されるスペクトルであり、アジア太平洋地域で、異なる国で用いられるテレビ放送モードが同じではなく、チャネル間隔８ＭＨｚの放送チャネルが用いられる国もあるし、チャネル間隔７ＭＨｚ又は６ＭＨｚの放送チャネル間隔が用いられる国もあり、このようにして異なる国で実際に用いられるテレビ放送チャネルと周波数ポイント６９８ＭＨｚとの間の周波数間隔が異なる。本発明に記載される第一のサブ帯域２０１について、図４に示すように、それに実際に含まれる放送チャネルの中心周波数と６９８ＭＨｚの周波数ポイントとの周波数間隔も異なり、また、第一のサブ帯域２０１に１つ又は複数のテレビ放送チャネルが含まれることができ、例えば、６ＭＨｚのチャネル間隔を含む放送チャネルＣＨ４９、５０、５１であってよく、又は７ＭＨｚのチャネル間隔を含むチャネルＣＨ５０、ＣＨ５１であってよく、又は８ＭＨｚのチャネル間隔を含むチャネルＣＨ４７、ＣＨ４８であってよい。したがって、これらの異なるチャネル間隔及び異なるアクティブチャネル数を含む第一のサブ帯域は、本発明において陸上移動通信システムに隣接または近接する帯域と称される。
【００９８】
６９８ＭＨｚ〜８０６ＭＨｚの周波数範囲で、１)ＦＤＤに用いられると計画されること、２）ＴＤＤシステムに用いられると計画されることの２つのスペクトル計画モードが存在する。しかも、２つの異なるスペクトル計画において、いずれも６９８ＭＨｚ〜７０３ＭＨｚという帯域幅５ＭＨの帯域を地上波テレビ放送と移動通信システムとの間の保護帯域２０４とする。
【００９９】
７０３ＭＨｚ〜８０３ＭＨｚの範囲内でＦＤＤシステムに用いられると計画される場面に対応して、本発明の第二のサブ帯域２０２は、ＦＤＤの上り帯域の一部であり、第二のサブ帯域２０２は、７０３ＭＨｚ〜８０３ＭＨｚの範囲でのサブ帯域２０２Ｄとスペクトラム対となり、ＦＤＤセルを配置する。しかも、第二のサブ帯域２０２と第一のサブ帯域２０１との間の隔離帯域に第三のサブ帯域２０３及び保護帯域２０４が含まれ、地上波テレビ放送システムと陸上移動通信システムの共有基地局サイトにおいて、第一の帯域２０１に第一の送信チャネルと第一の送信アンテナを配置し、第二の帯域に第一の受信チャネル及び第一の受信アンテナを配置する。第一の送信チャネル及び第一の受信チャネルとの間に存在する保護帯域２０４と第三のサブ帯域は、第一の送信チャネルの第一の受信チャネルに対する帯域外漏洩干渉を隔離し、さらに第一のサブ帯域における送信チャネルの帯域外干渉を抑制するために、第一の送信アンテナと第一の受信アンテナを別々に配置し、空間的隔離又は／及びアンテナの方向性によりさらに第一のサブ帯域の第二のサブ帯域に対する干渉を抑制する。
【０１００】
７０３ＭＨｚ〜８０３ＭＨｚの範囲でＴＤＤシステムに用いられると計画される場面に対応して、本発明の第二のサブ帯域２０２及び第三のサブ帯域２０３は、いずれもＴＤＤ帯域において上りスロットで用いられる帯域である。しかも、第二のサブ帯域２０２と第一のサブ帯域２０１との間の隔離帯域は、第三のサブ帯域２０３及び保護帯域２０４を含み、地上波テレビ放送システムと陸上移動通信システムの共有基地局サイトにおいて、第一の帯域２０１に第一の送信チャネルと第一の送信アンテナを配置し、第二の帯域に第一の受信チャネル及び第一の受信アンテナを配置する。第一の送信チャネル及び第一の受信チャネルとの間に存在する保護帯域２０４と第三のサブ帯域は、第一の送信チャネルの第一の受信チャネルに対する帯域外漏洩干渉を抑制し、さらに第一のサブ帯域における送信チャネルの帯域外干渉を抑制するために、第一の送信アンテナと第一の受信アンテナを別々に配置し、空間的隔離及び／又はアンテナの方向性により更に第一のサブ帯域の第二のサブ帯域に対する干渉を抑制する。
【０１０１】
実際のシステムの商用配置において、本発明に記載される基地局サイトを共有するとともに陸上移動通信ネットワークの伝送ネットワークを共有する場合、テレビ放送オペレータは、共有基地局と共有伝送ネットワークによって送信されたテレビ放送信号のカバー品質及び実際の放送サービスの供給時間に関心を持ち、テレビ放送オペレータは、共有基地局サイトに分散配置された中低電力の送信機のカバー状況をリアルタイムに監視することができると望む。そのため、本発明は、第一のサブ帯域におけるテレビ放送チャネルを監視する技術的なアプローチを与える。具体的には、第一のサブ帯域における放送チャネルのカバーすべき地理的領域に、若干のテレビ放送チャネル監視装置を配置し、当該装置は、第一のサブ帯域におけるテレビ放送信号を受信し且つ監視者が関心を持つ情報を監視者に送信する。次のモードの１つ又は複数の組み合わせで判断する。１)有線伝送放送ビットストリームで、受信されたビットストリームと比較し、２) ビット誤り率で判断し、３)信号強度で判断する。テレビ放送チャネル監視装置は、監視された第一のサブ帯域における放送情報を送信する方法は、次の１つであってよい。１)陸上移動通信システムのエアインタフェースを介して送信し、２）有線伝送ネットワークを介して送信し、有線伝送ネットワークは、有線テレビ放送システムの伝送ネットワークであってよく、セルラー移動通信システムの伝送ネットワークであってもよい。
【０１０２】
示されるテレビ放送チャネル監視装置の１つの実施形態は、テレビ受信機のセットトップボックスに配置され、又はテレビ受信機又はテレビ受信機のセットトップボックスと一体に設計される。
【０１０３】
第三のサブ帯域２０３における第二の受信機及び第二の受信アンテナが非共有基地局サイトに配置され且つ前記非共有基地局サイトが前記共有基地局サイトと地理的に隣接する場合、共有基地局サイトにおける第一の送信チャネルの帯域外漏洩電力の非共有基地局サイトにおける第二の受信アンテナに対する干渉を抑制するために、第一の送信アンテナの主ビーム方向を、非共有基地局サイト方向を回避させる。ここに記載されている隣接とは、非共有基地局サイトと共有基地局サイトとの間の距離が特定の距離区間にあることを意味している。特定の距離区間の値の範囲が５０メートル−５００メートルであり、典型的に５０メートル−２００メートルである。
【０１０４】
更に、少なくとも一部の時間内で、第一のサブ帯域を用いて移動通信システムのサービスデータを送信し、移動通信サービスデータは、１)ＭＢＭＳサービスデータ、２)下りデータを送信してサービスをダウンロードすることのうちの一つであり、一部の時間とは、１日間内の若干の時間、又は1カ月内の若干の時間で、第一の帯域で第一の送信チャネルと第一の送信アンテナを用いて移動通信サービスデータを送信することである。
【０１０５】
具体的には、移動サービスデータを送信する時に、異なる基地局サイトにある１組の第一の送信チャネル間にセル間干渉協調を行う。
【０１０６】
移動通信システムのサービスデータを送信するには、移動通信システムのエアインタフェース技術仕様、例えば、３ＧＰＰ標準組織により制定された無線技術仕様を用いる。
【０１０７】
地上波テレビ放送帯域に属する第一のサブ帯域における第一の送信チャネルを用いて移動通信サービスデータを送信する方法は、次の２つの方法の一つを含む。
【０１０８】
(１)第一のサブ帯域で第一のキャリア及びテレビ放送無線技術仕様を用いてテレビ受信機へテレビ放送信号を送信するとともに、第二のキャリア及び移動通信無線技術仕様を用いて移動通信受信機へ信号を送信する。
【０１０９】
(２)第一のサブ帯域で、第一の時間区間でテレビ放送無線技術仕様を用いてテレビ受信機へテレビ放送信号を送信し、第二の時間区間で移動通信無線技術仕様を用いて移動通信受信機へ信号を送信し、第一の時間区間と第二の時間区間の値の範囲が数分から数時間である。
【０１１０】
更に、第一の送信チャネルと陸上移動通信システムが基地局サイトを共有するモードは、次の２種類を含む。
【０１１１】
１、１つの地理的領域に存在する、第二のサブ帯域に第一の受信アンテナが配置されたすべての移動通信基地局サイトに少なくとも１つの第一の送信チャネルを配置し、アンテナを共有する又は共有しない。
【０１１２】
２、１つの地理的領域に存在する、第二のサブ帯域に第一の受信アンテナが配置された１組の移動通信アドレスから少なくとも１つの基地局サイトを第一の送信チャネルと移動通信用第一の受信チャネルとの共有基地局サイトとして選択し、当該共有基地局サイトに少なくとも１つの第一の送信チャネルを配置し、第一の送信チャネルが第一の受信チャネルとアンテナを共有する又は共有しない。
【０１１３】
第二のサブ帯域によってカバーされた第一の地理的領域に、第一のサブ帯域に中低電力の送信機のみを配置し、高電力の送信機を配置しない。
【０１１４】
高電力の送信機は、電力が１０００ワット以上の送信機であり、中低電力の送信機は、送信電力が１０００ワット未満の送信機である。中低電力の送信機の典型的な電力は、１０〜１００Ｗである。
【産業上の利用可能性】
【０１１５】
本発明のスキームによれば、従来の超高電力の地上波テレビ放送送信機の送信電力により生成された帯域外漏洩を著しく低下させ、また地上波テレビ放送システムと陸上移動通信システムとの間の保護帯域の幅も著しく低減させ、スペクトルの利用効率を向上させ、超高電力の送信機の代わりに、中低電力で分散配置された地上波放送送信機を採用するので、送信機の帯域外漏洩指標に対して厳しい要求を提出することを避けることができ、送信機のコストを削減させることが容易になる。
【０１１６】
上記は、本発明の好ましい実施形態だけであるが、本発明の保護範囲を限定することに用いられるものではない。
【図１】
0005855758.tif 000002
【図２】
0005855758.tif 000003
【図３】
0005855758.tif 000004
【図４】
0005855758.tif 000005